(57)【要約】【課題】円板状刃がカバー体からはみ出す量をさほど大きくするようなことなく、使い勝手を良好にすることが可能な円板状刃を備えた手工具を提供する。【解決手段】一定方向に延びた柄部１２を有するボディ１と、このボディ１の先端部分に支持された回転可能な円板状刃２と、少なくとも一部分が円板状刃２に対してその厚み方向に重なるように配されたカバー体３と、上記一定方向への往復操作が可能な操作部４とを備えており、操作部４の往復操作に伴ってカバー体３が移動を行なうことにより、カバー体３が円板状刃２の外周縁全周のはみ出しを阻止する第１の状態と、この第１の状態のときよりもカバー体３が柄部１２の後部寄りに後退して上記外周縁の一部をはみ出させる第２の状態との切り替えが自在とされている、円板状刃を備えた手工具Ａであって、上記第１の状態から上記第２の状態への切り替えがなされるように操作部４が操作されるときに、カバー体３を上記一定方向に対して斜めに傾いた方向に後退させるガイド機構Ｃを備えている。【選択図】  図４
2005124711.tif 000002
【特許請求の範囲】
【請求項１】
一定方向に延びた柄部を有するボディと、このボディの先端部分に支持された回転可能な円板状刃と、少なくとも一部分が上記円板状刃に対してその厚み方向に重なるように配されたカバー体と、上記一定方向への往復操作が可能な操作部と、を備えており、
上記操作部の往復操作に伴って上記カバー体が移動を行なうことにより、上記カバー体が上記円板状刃の外周縁全周のはみ出しを阻止する第１の状態と、この第１の状態のときよりも上記カバー体が上記柄部の後部寄りに後退して上記外周縁の一部をはみ出させる第２の状態との切り替えが自在とされている、円板状刃を備えた手工具であって、
上記第１の状態から上記第２の状態への切り替えがなされるように上記操作部が操作されるときに、上記カバー体を上記一定方向に対して斜めに傾いた方向に後退させるガイド機構を備えていることを特徴とする、円板状刃を備えた手工具。
【請求項２】
上記ガイド機構は、
上記一定方向に対して斜めに傾いた角度で上記カバー体に形成された長孔と、
上記カバー体が移動するときに上記長孔の内壁面と接触することにより上記カバー体の移動方向を規制するように、上記長孔内に進入し、かつ一定位置に固定されている固定部と、
を有している、請求項１に記載の円板状刃を備えた手工具。
【請求項３】
上記長孔は、上記カバー体の厚み方向に貫通しており、
上記カバー体は、上記円板状刃と重なる位置への着脱が自在であるとともに、その装着時には表裏の反転が可能とされ、かつこの表裏の反転により、上記長孔の傾斜の向きが変更されるように構成されている、請求項２に記載の円板状刃を備えた手工具。
【請求項４】
上記円板状刃は、切断用、ミシン目形成用、または印付け用のものである、請求項１ないし３のいずれかに記載の円板状刃を備えた手工具。
【発明の詳細な説明】
【技術分野】
【０００１】
本発明は、ロータリカッタなどの円板状刃を備えた手工具に関する。
【背景技術】
【０００２】
従来、ロータリカッタの一例としては、図９（ａ）に示すようなものがある。図示されたロータリカッタＢは、略直線状に延びた柄部９０ａを有するボディ９０の先端部に、切断用の円板状刃９１と、この円板状刃９１の外周の刃先をカバーするためのカバー体９２とが取り付けられた構成を有している。円板状刃９１は、図示されていない固定軸により支持されており、その固定軸周りに回転可能である。これに対し、カバー体９２は、その後部に操作部９２ａが形成された構成を有しており、この操作部９２ａを指で操作することにより、柄部９０ａの長手方向に往復動可能である。
【０００３】
このロータリカッタＢの不使用時には、同図（ａ）に示すように、カバー体９２を前進させておく。この状態においては、円板状刃９１の半径方向において、円板状刃９１の全体のいずれの部分についてもカバー体９２からはみ出さないようにすることができる。したがって、ユーザの指が円板状刃９１の刃先に誤って触れる虞れが少なくなる。これに対し、同図（ｂ）に示すように、操作部９２ａを操作することにより、カバー体９２を後退させると、円板状刃９１の一部分（寸法ｓ１の部分）がカバー体９２よりも前方にはみ出すこととなる。したがって、円板状刃９１を利用して所望の部材を切断することが可能となる。
【０００４】
【特許文献１】実公昭５７−５４７８０号公報
【発明の開示】
【発明が解決しようとする課題】
【０００５】
上記従来技術において、カバー体９２を後退させたときには、円板状刃９１のうち、ロータリカッタＢの最先端に相当する部分が、カバー体９２からはみ出すこととなる。このため、上記はみ出し寸法ｓ１が比較的小さい場合には、図１０に示すように、このロータリカッタＢを使用して所望の切断対象部材９９を切断する際に、柄部９０ａを切断対象部材９９に対して垂直に近い角度で起立させなければならない。円板状刃９１のうち、ロータリカッタＢの最先端に相当する部分以外の箇所は、カバー体９２からはみ出しておらず、またはそのはみ出し寸法が不足した状態となっており、柄部９０ａを水平に近い角度に寝かせたのでは、切断作業が困難となる。これでは、ロータリカッタＢの使い勝手が悪い。ロータリカッタの使用に際しては、定規を併用し、この定規に沿ってロータリカッタを移動させていく場合が多い。この場合、ロータリカッタを移動方向に沿って傾かせた姿勢にすることが好ましい。ところが、上記したように柄部９０ａを傾かせると切断作業に支障が生じたのでは、そのような好ましい使い方ができず、使い勝手が一層悪くなる。
【０００６】
一方、円板状刃９１のはみ出し寸法ｓ１が大きい場合には、上記したような不具合は解消される。ところが、上記はみ出し寸法ｓ１を大きくすると、円板状刃９１のうち、ロータリカッタＢの最先端に相当する部分以外の広範囲の部分が、カバー体９２から不必要にはみ出てしまう。これでは、切断作業時にユーザの指などが上記円板状刃９１の刃先に誤って触れる虞れが大きくなり、適切でない。また、上記はみ出し寸法ｓ１を大きくするには、操作部９２ａの操作量も大きくする必要が生じるため、その操作性も悪くなる。
【０００７】
本発明は、上記した事情のもとで考え出されたものであって、円板状刃がカバー体からはみ出す量をさほど大きくするようなことなく、使い勝手を良好にすることが可能な円板状刃を備えた手工具を提供することを課題としている。
【課題を解決するための手段】
【０００８】
上記課題を解決するため、本発明では、次の技術的手段を講じている。
【０００９】
本発明により提供される円板状刃を備えた手工具は、一定方向に延びた柄部を有するボディと、このボディの先端部分に支持された回転可能な円板状刃と、少なくとも一部分が上記円板状刃に対してその厚み方向に重なるように配されたカバー体と、上記一定方向への往復操作が可能な操作部と、を備えており、上記操作部の往復操作に伴って上記カバー体が移動を行なうことにより、上記カバー体が上記円板状刃の外周縁全周のはみ出しを阻止する第１の状態と、この第１の状態のときよりも上記カバー体が上記柄部の後部寄りに後退して上記外周縁の一部をはみ出させる第２の状態との切り替えが自在とされている、円板状刃を備えた手工具であって、上記第１の状態から上記第２の状態への切り替えがなされるように上記操作部が操作されるときに、上記カバー体を上記一定方向に対して斜めに傾いた方向に後退させるガイド機構を備えていることを特徴としている。
【００１０】
本発明においては、上記操作部を操作して上記第２の状態にすると、上記円板状刃の外周縁のうち、上記カバー体が斜めに後退するときのその移動経路の延長線上の部分が上記カバー体から最も大きくはみ出すこととなり、それに伴って手工具の最先端に相当する部分なども上記カバー体からはみ出した状態とすることができる。したがって、手工具を使用する際には、柄部を作業対象物に対して略直立させた姿勢にした場合に上記円板状刃の外周縁を上記作業対象物に接触させることができることに加え、柄部を比較的大きな角度で傾かせた場合にも、上記円板状刃の外周縁を上記作業対象物に接触させることが可能となる。したがって、使用時に柄部の角度を気にする必要が無くなり、従来技術よりも使い勝手が良好となる。また、本発明においては、上記円板状刃のカバー体からのはみ出し寸法をさほど大きくすることなく、上記した効果が得られる。このため、円板状刃の外周縁の広範囲の部分がカバー体から不必要にはみ出さないようにすることも可能となる。したがって、使用時にユーザの指などが上記円板状刃の外周縁に誤って触れる虞れを無くし、または少なくすることもできる。さらに、上記はみ出し寸法をさほど大きくする必要がないために、上記操作部の操作量についても大きくする必要がなくなり、その操作性は良好となる。
【００１１】
本発明の好ましい実施の形態においては、上記ガイド機構は、上記一定方向に対して斜めに傾いた角度で上記カバー体に形成された長孔と、上記カバー体が移動するときに上記長孔の内壁面と接触することにより上記カバー体の移動方向を規制するように上記長孔内に進入し、かつ一定位置に固定されている固定部と、を有している。上記長孔と上記固定部との組み合わせ構造は、カム機構の一種に相当しており、このような構成によれば、ガイド機構の構造の簡素化を図りつつ、本発明が意図するカバー体の動作を円滑に、かつ正確に得ることが可能となる。
【００１２】
本発明の好ましい実施の形態においては、上記長孔は、上記カバー体の厚み方向に貫通しており、上記カバー体は、上記円板状刃と重なる位置への着脱が自在であるとともに、その装着時には表裏の反転が可能とされ、かつこの表裏の反転により、上記長孔の傾斜の向きが変更されるように構成されている。このような構成によれば、上記カバー体の表裏を反転させることによって上記長孔の傾斜の向きを変更することができるために、手工具を上記第１の状態から上記第２の状態に設定するときの上記カバー体が後退する方向を切り替え、上記カバー体から上記円板状刃がはみ出す位置を変更することが可能となる。このような円板状刃のはみ出し位置の変更は、ユーザが右利き、左利きのいずれであるかによって選択的に行なえばよく、さらに使い勝手が良くなる。
【００１３】
本発明の好ましい実施の形態においては、上記円板状刃は、切断用、ミシン目形成用、または印付け用のものである。このことから理解されるように、本発明においては、上記円板状刃としては、種々のものを用いることができる。
【００１４】
本発明のその他の特徴および利点については、以下に行なう発明の実施の形態の説明から、より明らかになるであろう。
【発明を実施するための最良の形態】
【００１５】
以下、本発明の好ましい実施の形態について、図面を参照して具体的に説明する。
【００１６】
図１〜図８は、本発明が適用されたロータリカッタの一例を示している。図１（ａ），（ｂ）によく表われているように、本実施形態のロータリカッタＡは、ボディ１、円板状刃２、カバー体３、および操作部４を備えている。また、このロータリカッタＡは、図２および図３に示すように、カバー体３に貫通して形成された長孔３０に、ボディ１に一体的に設けられた固定部１０が進入した構造をもつガイド機構Ｃを備えている。
【００１７】
ボディ１は、合成樹脂製のアッパ部材１１ａとロア部材１１ｂとを接合することによりやや細長状に形成されたものであり、このボディ１の長手方向中間部および後部寄り領域は、ユーザが手で握るための柄部１２となっている。この柄部１２は、一定方向に延びた形態を有している。柄部１２をこのような形態にすると、ロータリカッタＡ全体の嵩張りが抑制され、保管収納や携帯に際して便利となる。
【００１８】
円板状刃２は、ステンレス鋼やその他の硬質の金属からなる薄肉の円板であり、この円板状刃２の外周縁の全周は、鋭利な切断用の刃先部２０として形成されている。この円板状刃２は、後述するようにボルト５０Ａを用いてボディ１の先端部に取り外し可能に取り付けられており、ボルト５０Ａの軸部周りに回転可能である。
【００１９】
操作部４は、カバー体３を移動させるための部分であり、柄部１２に設けられた長孔状の開口部１２ａ内において柄部１２の長手方向に往復操作可能な操作用摘まみとして構成されている。この操作部４は、ボディ１内にスライド可能に収容された可動体４０と一体または別体に形成されている。可動体４０は、ロア部材１１ｂの内面に摺接するベース部４０ａと、このベース部４０ａの後部に設けられた立ち上がり部４０ｂと、この立ち上がり部４０ｂに支持された補助片部４０ｃとを有しており、操作部４は、この補助片部４０ｃと一体または別体に形成されている。操作部４の下側裏面部分とベース部４０ａとの間には、弾発力Ｆを発生するバネ４１が設けられている。この弾発力Ｆにより、補助片部４０ｃの上面はアッパ部材１１ａの内面に押し付けられるとともに、ベース部４０ａの下面はロア部材１１ｂの内面に押し付けられる。この押し付け力により、可動体４０は柄部１２の長手方向に不用意に位置ずれすることが防止され、操作部４を適度な節度感をもって往復操作可能となっている。可動体４０の位置ずれ防止をより徹底する手段として、可動体４０とボディ１とに係脱可能な係合部を設けておき、操作部４を弾発力Ｆに抗してボディ１内に向けて押し下げると、上記係合部の係合が解除され、その結果可動体４０のスライド動作が許容されるといった構成を採用してもかまわない。
【００２０】
カバー体３は、円板状刃２の刃先部２０にユーザの指などが不用意に触れることを防止するためのものである。このカバー体３は、合成樹脂製であり、円板状刃２よりも大径の円板部３１と、この円板部３１の後部に連設された突片部３２とを有している。円板部３１の外周縁のうち、柄部１２寄りの部分には、円板状刃２の刃先部２０をガードするための略円弧状のリブ３１ａが設けられている。後述するように、このカバー体３は、表裏反転して使用可能であり、これに対応すべくリブ３１ａは円板部３１の表裏両面のそれぞれに設けられている。
【００２１】
カバー体３は、円板状刃２と同様に、ボルト５０Ａによってボディ１の先端部に取り外し可能に取り付けられている。より具体的には、このカバー体３は、円板部３１がボディ１の先端部の一側面上に重ねられ、かつこの円板部３１上に円板状刃２がさらに重ねられた構造とされている。カバー体３の長孔３０と円板状刃２の中央部に設けられた貫通孔には、ボルト５０Ａが挿通しており、このボルト５０Ａがナット５０Ｂに螺合して締め付けられていることによって、カバー体３および円板状刃２は、ボディ１の先端部とボルト５０Ａの頭部およびワッシャ５１との間に保持されている。ナット５０Ｂは、ボディ１に対して相対回転可能に取り付けられた回転操作用部材５２の内部に固定されている。したがって、ボルト５０Ａを締め付ける操作および緩める操作は、この回転操作用部材５２を指で摘んで回転させることによって簡単に行なうことが可能である。もちろん、その回転操作を行なう際にはボルト５０Ａの空転を防止する必要があり、そのための手段として、たとえばボルト５０Ａの軸部は、断面非円形状に形成されるなどして、ボディ１に設けられたボルト挿通孔に対して相対回転不能となっている。
【００２２】
カバー体３の突片部３２には、貫通孔３２ａが形成されており、かつこの貫通孔３２ａには可動体４０の凸部４２が嵌入している。このことにより、カバー体３は、可動体４０に連結されており、可動体４０のスライド動作に伴って移動する。ただし、その移動方向は、後述するように、ガイド機構Ｃにより規制されている。
【００２３】
図２によく表われているように、カバー体３の長孔３０は、柄部１２の中心線ＣＬに対して適当な角度θだけ傾いた角度に形成されている。角度θは、たとえば３０〜６０°の範囲である。固定部１０は、長孔３０の短手方向の幅よりも僅かに小径の円筒状であり、カバー体３が移動するときには、長孔３０の内壁面に摺接することによりカバー体３の移動方向を規制し、そのガイドを行なう役割を果たす。本実施形態においては、ボディ１の一部分が固定部１０として構成されているが、本発明はこれに限定されず、たとえばボディ１に別体の部材を取り付けることにより固定部１０を設けてもかまわない。
【００２４】
次に、上記したロータリカッタＡの作用ならびに使用例について説明する。
【００２５】
まず、ロータリカッタＡの不使用時には、図１〜図３に示すように、操作部４を開口部１２ａの前端部に配置させておく。この状態においては、可動体４０およびカバー体３は最も前進した位置にあり、カバー体３の円板部３１と円板状刃２とのそれぞれの中心が一致した状態にある。このため、円板状刃２の全体がカバー体３と重なり、円板状刃２の刃先部２０のいずれの箇所もカバー体３からはみ出さない状態となる。したがって、ユーザの指が刃先部２０に誤って接触することが防止される。
【００２６】
次いで、ロータリカッタＡを使用する際には、図４および図５に示すように、操作部４を後方に移動させて開口部１２ａの後端部に配置させる。この操作により、可動体４０およびカバー体３は後退する。ただし、その際カバー体３は、長孔３０と固定部１０との作用によってその移動方向が規制され、長孔３０が延びる方向、すなわち図４の矢印Ｎ１に示すように、柄部１２の中心線ＣＬに対して傾いた軸線Ｌ１の方向に後退する。すると、円板状刃２の刃先部２０のうち、軸線Ｌ１上の部分ｎ１およびその近傍部分がカバー体３からはみ出すこととなる。この場合、軸線Ｌ１上の部分ｎ１のカバー体３からのはみ出し寸法ｓ２をさほど大きくしなくても、刃先部２０のうち、このロータリカッタＡの最先端に相当する部分ｎ２（中心線ＣＬ上の部分）をカバー体３からはみ出させた状態とすることが可能である。ただし、図面においては、理解の容易のため、はみ出し寸法ｓ２を比較的大きくした場合を示している。
【００２７】
上記したような刃先部２０のはみ出し状態によれば、図６に示すように、切断対象物９９を切断するときに、柄部１２を大きく傾かせた場合であっても、刃先部２０を切断対象物９９に接触させることができ、切断作業が的確に行なわれる。勿論、同図仮想線に示すように、柄部１２を切断対象物９９に対して略直角に起立させた状態においても、その切断作業を的確に行なうことが可能となる。したがって、ユーザは柄部１２の角度を気にすることなく、ロータリカッタＡを使用することが可能となり、便利となる。
【００２８】
このロータリカッタＡにおいては、既述したとおり、カバー体３からの円板状刃２のはみ出し寸法ｓ２をさほど大きくすることなく、円板状刃２のうちの切断に必要な部分ｎ１，ｎ２およびその近傍部分をカバー体３から適切にはみ出させることができる。はみ出し寸法ｓ２を大きくすると、円板状刃２の刃先部２０の広範囲の部分がカバー体３から不必要にはみ出すこととなるが、このロータリカッタＡにおいては、そのようなことを回避可能である。したがって、使用の際にユーザの指などが刃先部２０に誤って触れる虞れがその分だけ少なくなる。さらに、はみ出し寸法ｓ２をさほど大きくする必要がなければ、操作部４の操作量を大きくする必要もなくなり、その操作ストロークは短くてよいため、操作部４の操作性も良好となる。
【００２９】
また、このロータリカッタＡによれば、カバー体３をボディ１から一旦取り外すことにより、このカバー体３の表裏を反転させるようにしてボディ１に取り付け直すことができる。このようにカバー体３を反転させると、図７（ａ）に示すように、長孔３０の向きが先に説明した場合とは相違することとなる。この場合において、同図（ｂ）に示すように、カバー体３を後退させると、円板状刃２のうち、カバー体３からはみ出す部分も先に説明した場合とは相違することとなり、図４に示した部分ｎ１に対して柄部１２の中心線ＣＬを挟んだ反対の部分ｎ1'が最もはみ出し寸法の大きい箇所となる。
【００３０】
上記の状態に設定すると、図８に示すように、このロータリカッタＡを使用して切断対象物９９を切断する場合において、柄部１２を大きく傾かせることが可能な方向は、図６に示した場合とは反対となる。ロータリカッタＡを片手で把持して使用する場合、円板状刃２がボディ１よりもユーザ寄りに位置し、円板状刃２が見易いようにすることが望まれる。この観点からすると、図８に示したロータリカッタＡの仕様は、左利きのユーザに最適であり、また図６に示したロータリカッタＡの仕様は、右利きのユーザに最適である。このロータリカッタＡは、カバー体３の表裏を反転させるだけで、左利き用と右利き用とのいずれにも変更することが可能であり、より便利となる。
【００３１】
本発明は、上記した実施形態の内容に限定されない。本発明に係る円板状刃を備えた手工具の各部の具体的な構成は、種々に設計変更自在である。
【００３２】
本発明に係る手工具は、ロータリカッタ以外の手工具として構成することもできる。たとえば、円板状刃として、その外周縁に複数の凸状の刃先部が間隔を隔てて設けられたものを用いれば、この円板状刃を利用してミシン目線を刻設可能な手工具となる。また、切断に適する鋭利な刃先に代えて、それよりも鋭利ではない刃先をもつものとすれば、印付け用の手工具となる。この場合、連続した線を付す場合と、ミシン目線状の印を付す場合とのいずれのタイプのものとしても構成することができる。さらに、ロータリカッタとして構成する場合においても、たとえば刃先部を波状に形成することにより、切断線が波線状となるものに構成することもできる。
【００３３】
本発明におけるガイド機構は、要は、カバー体が後退するときに、カバー体を柄部が延びる方向に対して斜めに傾いた方向にガイドする機能を有していればよく、長孔に固定部を進入させた構造とは異なる構造を採用することが可能である。柄部が延びる方向に対する傾き角度も限定されない。ただし、３０〜６０°の範囲内にすることが好ましい。
【００３４】
ボディの具体的な形状や材質なども限定されない。ボディの柄部は、大略的に一定方向に延びた形状を有していればよく、真直状でなくてもよい。また、ボディには、柄部に対して交差する角度で繋がった他の付属部分が設けられていてもかまわない。操作部は、ユーザが操作する部分であり、操作し易い構成とすることが望まれるが、やはりその具体的な形状、材質、配置なども限定されるものではない。
【図面の簡単な説明】
【００３５】
【図１】（ａ）は、本発明が適用されたロータリカッタの一例を示す平面図であり、（ｂ）は、その側面図である。
【図２】図１に示すロータリカッタの一部断面平面図である。
【図３】図１（ａ）のIII −III 断面図である。
【図４】図１に示すロータリカッタの動作状態を示す一部断面平面図である。
【図５】図１に示すロータリカッタの動作状態を示す要部断面図である。
【図６】図１に示すロータリカッタの使用状態の一例を示す側面図である。
【図７】（ａ），（ｂ）は、図１に示すロータリカッタの仕様を変更した場合の動作状態を示す一部断面平面図である。
【図８】図７に示すロータリカッタの使用状態の一例を示す側面図である。
【図９】（ａ），（ｂ）は、従来技術を示す平面図である。
【図１０】図９に示す従来技術の作用説明図である。
【符号の説明】
【００３６】
Ａ        ロータリカッタ
Ｃ        ガイド機構
１        ボディ
２        円板状刃
３        カバー体
４        操作部
１０      固定部
１２      柄部
３０      長孔
【図１】
2005124711.tif 000003
【図２】
2005124711.tif 000004
【図３】
2005124711.tif 000005
【図４】
2005124711.tif 000006
【図５】
2005124711.tif 000007
【図６】
2005124711.tif 000008
【図７】
2005124711.tif 000009
【図８】
2005124711.tif 000010
【図９】
2005124711.tif 000011
【図１０】
2005124711.tif 000012